(57)【要約】【課題】本発明は、デジタル放送波から送られてくる告知情報が多くても、ユーザにとって必要な情報を設定供給することが可能なデジタル放送受信装置を提供することを目的とする。【解決手段】デジタル放送波により送信された告知情報を受信し、該告知情報に基づいてユーザに告知するユーザ用告知情報を生成し、該ユーザ用告知情報をレベルで種別化し、設定レベルに応じた告知を行うデジタル放送受信装置１５０であって、  前記ユーザ用告知情報の告知レベルを定める前記設定レベルを記憶する記憶手段７０と、  前記告知情報を受信したときに、前記告知情報に基づいて前記ユーザ用告知情報を生成するとともに、前記記憶手段に記憶された前記設定レベルに従い、前記ユーザ用告知情報の出力の可否を判定して制御する制御手段６０と、を含むことを特徴とする。【選択図】図１
2010219702.tif 000002
【特許請求の範囲】
【請求項１】
デジタル放送波により送信された告知情報を受信し、該告知情報に基づいてユーザに告知するユーザ用告知情報を生成し、該ユーザ用告知情報をレベルで種別化し、設定レベルに応じた告知を行うデジタル放送受信装置であって、
前記ユーザ用告知情報の告知レベルを定める前記設定レベルを記憶する記憶手段と、
前記告知情報を受信したときに、前記告知情報に基づいて前記ユーザ用告知情報を生成するとともに、前記記憶手段に記憶された前記設定レベルに従い、前記ユーザ用告知情報の出力の可否を判定して制御する制御手段と、を含むことを特徴とするデジタル放送受信装置。
【請求項２】
前記制御手段は、前記ユーザ用告知情報をメール形式で表示出力させる制御を行うことを特徴とする請求項１に記載のデジタル放送受信装置。
【請求項３】
前記設定レベルは、前記ユーザ用告知情報の重要度順に前記レベルが定められていることを特徴とする請求項１又は２に記載のデジタル放送受信装置。
【請求項４】
前記告知情報は、ソフトウェアのダウンロードのスケジュールに関する情報を含むことを特徴とする請求項１乃至３のいずれか一項に記載のデジタル放送受信装置。
【請求項５】
前記ユーザ用告知情報は、前記ソフトウェアのダウンロードの設定変更を促す旨のダウンロード設定変更情報又は前記ソフトウェアのダウンロードを行う旨のダウンロード告知情報を含むことを特徴とする請求項４に記載のデジタル放送受信装置。
【請求項６】
前記告知情報及び前記ユーザ用告知情報を記憶する第２の記憶手段を更に有し、
前記制御手段は、前記ユーザ用告知情報が、所定期間経過後の所定タイミングに告知されるべきものであると判定した場合には、前記第２の記憶手段に前記ユーザ用告知情報を記憶させることを特徴とする請求項１乃至５のいずれか一項に記載のデジタル放送受信装置。
【請求項７】
前記制御手段は、前記所定タイミングが到来したときには、前記第２の記憶手段に記憶された前記ユーザ告知情報を出力させる制御を行うことを特徴とする請求項６に記載のデジタル放送受信装置。
【請求項８】
前記ユーザ告知情報は、周波数リパッキング情報及び／又はソフトウェアダウンロード成功告知情報を含むことを特徴とする請求項７に記載のデジタル放送受信装置。
【発明の詳細な説明】
【技術分野】
【０００１】
本発明は、デジタル放送受信装置に関し、特に、デジタル放送波により送信された告知情報を受信し、該告知情報に基づいて、ユーザに告知するユーザ用告知情報を生成して告知するデジタル放送受信装置に関する。
【背景技術】
【０００２】
従来から、電子メールシステムにおいて、メール受信手段と、未読メール蓄積手段と、メール受信手段において受信したメールと未読メール蓄積手段に蓄積されている未読メールとの関連を調べる関連メール検索手段と、関連メール検索手段で受信メールに関連した未読メールが見付からなかった場合に、受信メールの重要度を判定する重要度判定手段とを有し、メールの関連性と重要度を損なうことなく、優先度順にメールを整列させ、受信者にとって必要な情報を短時間で把握できるようにメールを分類し、表示することができるようにした技術が知られている（例えば、特許文献１参照）。
【先行技術文献】
【特許文献】
【０００３】
【特許文献１】特開２００１−２２９０８８号公報
【発明の概要】
【発明が解決しようとする課題】
【０００４】
しかしながら、上述の特許文献１に記載の構成は、電子メールシステムにおける未読メールの整理には効果的であるが、デジタル放送受信装置のように、放送局やサービス局から告知情報が送信され、個別の通信というよりも、放送波により情報の配信が行われている場合には、同様の構成を適用できないという問題があった。つまり、デジタル放送の配信情報においては、メール通信に存在するメール間の関連性のような情報間同士の関連要素は少なく、また、一般のユーザ全体に対して告知情報が送られるため、不要な情報がより多く含まれる可能性が高い。特許文献１に記載の構成では、そのような大量の情報には対応が困難であるという問題があった。
【０００５】
一方、デジタル放送においては、通常の番組のような音声情報と映像情報からなるコンテンツの他、デジタル放送受信装置の機能を高めるようなソフトウェアのダウンロードといったエンジニアリングサービスを受信する場合が多くある。このようなエンジニアリングサービスにおいては、ソフトウェアのダウンロードのスケジュール等の情報が送信される。デジタル放送受信装置の方では、このようなダウンロード情報を受信すると、ダウンロードのスケジュールの告知や、ダウンロードがなされない設定となっているユーザには、その旨を告知する情報を画面表示出力する場合が多い。また、ソフトウェアのダウンロードに関連する事項の他、放送局の種々の変更等に関する情報も送られる場合があり、これらの告知情報を総てユーザに告知すると、ユーザ側で不要な情報が多過ぎて、告知が煩わしく感じられる場合があるという問題があった。
【０００６】
そこで、本発明は、デジタル放送波から送られてくる告知情報が多くても、ユーザにとって必要な情報のみを供給することが可能なデジタル放送受信装置を提供することを目的とする。
【課題を解決するための手段】
【０００７】
上記目的を達成するため、第１の発明に係るデジタル放送受信装置（１５０）は、デジタル放送波により送信された告知情報を受信し、該告知情報に基づいてユーザに告知するユーザ用告知情報を生成し、該ユーザ用告知情報をレベルで種別化し、設定レベルに応じた告知を行うデジタル放送受信装置（１５０）であって、
前記ユーザ用告知情報の告知レベルを定める前記設定レベルを記憶する記憶手段（７０）と、
前記告知情報を受信したときに、前記告知情報に基づいて前記ユーザ用告知情報を生成するとともに、前記記憶手段に記憶された前記設定レベルに従い、前記ユーザ用告知情報の出力の可否を判定して制御する制御手段（６０）と、を含むことを特徴とする。
【０００８】
これにより、設定された告知レベルに応じてレベル単位でまとめてユーザ用告知情報の出力を制御することができ、簡単なレベル設定でユーザの便宜を図った柔軟な情報告知を行うことができる。
【０００９】
第２の発明は、第１の発明に係るデジタル放送受信装置（１５０）において、
前記制御手段（６０）は、前記ユーザ用告知情報をメール形式で表示出力させる制御を行うことを特徴とする。
【００１０】
これにより、ユーザに使い勝手の良いメール形式でユーザ用告知情報を知らせることができ、ユーザが望むときにユーザ用告知情報を知らせることができる。
【００１１】
第３の発明は、第１又は第２の発明に係るデジタル放送受信装置（１５０）において、
前記設定レベルは、前記ユーザ用告知情報の重要度順に前記レベルが定められていることを特徴とする。
【００１２】
これにより、重要な情報は優先してユーザに告知し、重要度の下がる情報はユーザへの告知頻度を低減させることができ、重要な情報は適切に提供しつつ、些細な情報又は専門的過ぎる情報供給過多によるユーザの煩わしさを低減させることができる。
【００１３】
第４の発明は、第１〜３のいずれかの発明に係るデジタル放送受信装置（１５０）において、
前記告知情報は、ソフトウェアのダウンロードのスケジュールに関する情報を含むことを特徴とする。
【００１４】
これにより、ソフトウェアのダウンロードスケジュールの受信に基づいて、ユーザ用告知情報を作成することができ、ユーザにとって必要な情報と不要な情報を、用途に応じて適切に設定することが可能となる。
【００１５】
第５の発明は、第４の発明に係るデジタル放送受信装置（１５０）において、
前記ユーザ用告知情報は、前記ソフトウェアのダウンロードの設定変更を促す旨のダウンロード設定変更情報又は前記ソフトウェアのダウンロードを行う旨のダウンロード告知情報を含むことを特徴とする。
【００１６】
これにより、ユーザのダウンロード設定に応じて、適切なユーザ用告知情報を選択するレベル設定が可能となる。
【００１７】
第６の発明は、第１〜５のいずれかの発明に係るデジタル放送受信装置（１５０）において、
前記告知情報及び前記ユーザ用告知情報を記憶する第２の記憶手段（８０）を更に有し、
前記制御手段（６０）は、前記ユーザ用告知情報が、所定期間経過後の所定タイミングに告知されるべきものであると判定した場合には、前記第２の記憶手段（８０）に前記ユーザ用告知情報を記憶させることを特徴とする。
【００１８】
これにより、告知情報の受信時ではなく、所定の時間経過後の所定タイミングでユーザへの告知を行うことが要求される情報についても、所定タイミングが到来するまでユーザ用告知情報を保持した状態で告知タイミングを待機することができる。
【００１９】
第７の発明は、第６の発明に係るデジタル放送受信装置（１５０）において、
前記制御手段（６０）は、前記所定タイミングが到来したときには、前記第２の記憶手段（８０）に記憶された前記ユーザ告知情報を出力させる制御を行うことを特徴とする。
【００２０】
これにより、時間差のあるユーザ用告知情報についても、適切なタイミングでユーザへの告知を行うことができる。
【００２１】
第８の発明は、第７の発明に係るデジタル放送受信装置（１５０）において、
前記ユーザ告知情報は、周波数リパッキング情報及び／又はソフトウェアダウンロード成功告知情報を含むことを特徴とする。
【００２２】
これにより、放送波から告知情報を受信したときではなく、所定のタイミングでユーザへの告知を行う周波数リパッキング情報や、ダウンロード成功後にユーザへの告知を行うソフトウェアダウンロード成功告知情報についても、レベル設定を行うことができる。
【００２３】
なお、上記括弧内の参照符号は、理解を容易にするために付したものであり、一例に過ぎず、図示の態様に限定されるものではない。
【発明の効果】
【００２４】
本発明によれば、ユーザにとって必要な告知情報を選択して提供することができる。
【図面の簡単な説明】
【００２５】
【図１】本実施例に係るデジタル放送受信装置１５０の全体構成の一例を示した図である。
【図２】ユーザ用告知情報がメール形式の場合の表示内容の一例を示した図である。
【図３】メール一覧が表示部５２に表示された場合の一例を示した図である。
【図４】リパッキングフラグ記憶領域７１及び設定レベル記憶領域７２に記憶された情報の一例を示した図である。
【図５】本実施例に係るデジタル放送受信装置１５０の処理フローの一例を示した図である。図５（Ａ）は、処理フローのメール内容を示した図である。図５（Ｂ）は、本実施例に係るデジタル放送受信装置１５０の処理フローを示した図である。
【発明を実施するための形態】
【００２６】
以下、図面を参照して、本発明を実施するための最良の形態の説明を行う。
【００２７】
図１は、本発明を適用した実施例に係るデジタル放送受信装置１５０の全体構成の一例を示した図である。図１において、本実施例に係るデジタル放送受信装置１５０は、制御部６０と、不揮発性メモリ７０とを備える。また、本実施例に係るデジタル放送受信装置１５０は、必要に応じて、チューナ１０と、復調部２０と、暗号復号部３０と、音声信号処理部４０と、音声信号変換部４１と、ビジュアルドライバ５１と、メモリ８０と、ＰＣＩ（Peripheral Component Interconnect）バス９０と、サブＣＰＵ（Central Processing Unit、中央処理装置）１００と、電源ユニット１１０とを備えてもよい。なお、メモリ８０は、フラッシュメモリ８１と、ブートＲＯＭ（Read Only Memory）８４と、ＲＡＭ（Random Access Memory）８５とを備えてもよい。
【００２８】
チューナ１０は、特定の周波数を選択的に増幅させ、選局を行う手段である。デジタル放送においては、音声信号と映像信号からなる通常の番組等のコンテンツの他、電子番組表等の付加情報が送信される場合があり、チューナ１０は、そのような放送を行う放送局の選局が可能に構成されている。また、デジタル放送においては、エンジニアリングサービス局からソフトウェアデータが放送波を用いて配信される場合もあり、チューナ１０は、そのようなサービス局からの放送波も選局可能に構成されている。
【００２９】
なお、チューナ１０には、デジタル放送波受信用のアンテナ１１が接続され、チューナ１０及びアンテナ１１で受信部１５を構成してよい。チューナ１０から出力された受信信号は、復調部２０に出力される。
【００３０】
復調部２０は、チューナ１０により選局されて受信された受信波を復調し、デジタル放送波の変調前の信号を復元する手段である。復調される信号は、サービス局側における変調前のデジタル信号であり、ソフトウェア等のデータ信号の他、映像信号や音声信号を含んでもよい。
【００３１】
復調部２０は、必要に応じて、誤り訂正部２１を含んでもよい。誤り訂正部２１においては、伝送中に発生した誤りを、例えば、リードソロモン符号と畳み込み符号等の誤り訂正符号により訂正する。
【００３２】
なお、復調部２０から出力される信号形式は、例えば、トランスポートストリームであってもよい。
【００３３】
暗号復号部３０は、復調部２０から出力された信号を、解読鍵等を用いて復号する。暗号は、例えば、日本の地上デジタル放送の標準暗号として採用されているＭＵＬＴＩ２が用いられている場合には、外部からＢ−ＣＡＳカードを接続することで、暗号を解除するようにしてもよい。他の暗号が用いられる場合には、用いられる暗号に対応した暗号復号部３０を設けるようにしてよい。
【００３４】
暗号復号部３０は、分離部３１を含んでもよい。分離部３１は、復号後の信号を、音声信号と、映像信号と、付加情報とに分離する。付加情報は、ＥＰＧ（Electronic Program Guide、電子番組表）等を含む付加的な情報であり、上述のソフトウェアのダウンロードのスケジュール情報や、周波数リパッキング情報等の告知情報も含まれる。ソフトウェアのダウンロードの告知情報は、ＳＤＴＴ（Software Download Trigger Table）と呼んでもよい。また、周波数リパッキング情報は、放送局の放送周波数の変更や消滅等、放送サービスの通信情報に関する変更事項に関する内容の告知情報である。告知情報には、放送局からの告知情報も含まれ、例えば、いつからいつまでの期間にこのような内容の放送を行う、というような放送局からユーザに告知する情報も含まれる。
【００３５】
分離部３１において分離された音声信号は、音声信号処理部４０に出力され、映像信号は、映像信号処理部５０に出力される。また、ＳＤＴＴ等を含む付加情報は、制御部６０に出力される。信号がトランスポートストリーム信号の場合には、暗号復号部３０において、パケット毎に分離されることになる。
【００３６】
音声信号処理部４０は、音声信号を復号する手段であり、音声信号の復号に必要な信号処理を行う。音声信号処理部４０からの出力は、デジタル音声信号として音声信号変換部４１に出力される。
【００３７】
音声信号変換部４１は、音声信号処理部４０から入力されたデジタル音声信号をアナログ音声信号にデジタル−アナログ変換する手段である。音声信号変換部４１から出力されたアナログ音声信号は、例えば、外部に接続されたスピーカ４２に出力され、スピーカ４２からユーザに音声を提供する。
【００３８】
画像出力処理部５０は、画像信号を復号し、出力可能な状態に処理する手段であり、画像信号の復号に必要な信号処理を行う。本実施例に係るデジタル放送受信装置１５０においては、画像出力処理部５０は、番組等の画像信号の出力のみならず、ユーザ用告知情報の画像出力処理を行う。画像出力処理部５０からの出力は、デジタル画像信号としてビジュアルドライバ５１に出力される。
【００３９】
ビジュアルドライバ５１は、画像信号の表示画像の縦横の長さの比、いわゆる画角等を調節する手段である。ビジュアルドライバ５１は、例えば、表示画像を１６：９等の所定の画角に変換調整する。ビジュアルドライバ５１により、画角が外部の表示部５２に適合するように調整された画像信号は、ディスプレイ等の表示部５２から出力され、ユーザに映像を提供する。なお、表示部５２には、通常のブラウン管の他、液晶表示パネル、プラズマディスプレイパネル、有機ＥＬ（Electronic Luminescence）等が適用されてよい。
【００４０】
制御部６０は、受信部１５がダウンロードスケジュール情報、周波数リパッキング情報、放送局告知情報等の告知情報を受信したときに、受信した告知情報に基づいて、ユーザ用告知情報を作成し、この出力の可否を判定及び制御する制御手段である。制御部６０は、このような演算処理を行うため、例えば、ＣＰＵで構成されてよい。また、制御部６０は、不揮発性メモリ７０及びメモリ８０へのアクセスを行い、不揮発性メモリ７０に記憶された情報の読み出しや、メモリ８０に記憶された情報の読み出し及び情報の書き換え等を行う。
【００４１】
制御部６０は、解析部６１と、ユーザ用告知情報作成部６２と、判定部６３と、出力制御部６４とを含んでもよい。解析部６１は、受信した告知情報を解析する手段である。例えば、受信部１５がデジタル放送波から告知情報を受信したときには、受信した告知情報が、何の情報であるかを解析する。上述のように、告知情報は、ソフトウェアのダウンロードのスケジュール告知情報、周波数リパッキング告知情報、放送局からの告知情報等の多様な告知情報を含むので、解析部６１は、受信した告知情報が何の告知情報であるのかを解析する。
【００４２】
ユーザ用告知情報作成部６２は、解析部６１で告知情報が判別されたら、告知情報に基づいて、ユーザ用告知情報を作成する手段である。受信する告知情報と、ユーザに知らせるべきユーザ用告知情報は、必ずしも一致していない場合がある。例えば、ソフトウェアのダウンロードのスケジュール情報を受信した場合、ダウンロードがある旨のダウンロード告知情報をユーザに知らせる等がユーザ用告知情報となり得るし、また、ダウンロードを行わない設定になっているユーザに対しては、このままではダウンロードが行われない旨がユーザ用告知情報ともなり得る。また、周波数リパッキング情報の場合には、そのまま、周波数リパッキング情報をユーザ用告知情報として転用することができる。このように、受信した告知情報の種類により、ユーザ用告知情報は異なるので、ユーザ用告知情報作成部６２は、受信した告知情報に基づいて、これに対応した適切なユーザ用告知情報を作成する。
【００４３】
なお、ユーザ用告知情報は、種々の告知態様がとられてよく、例えば、表示部５２にお知らせのような形式で告知を行う形態でもよいし、電子メールのような形式であってもよい。
【００４４】
図２は、ユーザ用告知情報が、メールの形式で告知された場合の表示部５２の表示内容の一例を示した図である。図２において、番組バナーに表示されたメールアイコンが示されている。このように、ユーザ用告知情報を、メール形式でユーザに告知するようにしてもよい。ユーザは、メールアイコンにより未読のユーザ用告知情報が存在することを知ることができるとともに、ユーザ用告知情報を確認したい段階でメールアイコンをクリックすれば良いので、自分の好きなタイミングでユーザ用告知情報を取得することができる。
【００４５】
図３は、図２においてメールアイコンをクリックした後に、メール一覧が表示部５２に表示された場合の一例を示した図である。図３において、複数のメールが未読の状態である。最下段のメールは、ソフトウェア更新のお知らせのメールであり、ソフトウェアをダウンロードする旨の告知メールである。１段目及び３段目は、ソフトウェア更新の完了のメールであり、ソフトウェアのダウンロードが成功した旨の情報を告知するメールである。これらは、上述のダウンロードのスケジュール情報に基づいて作成されるユーザ用告知メールの一種である。一方、２段目のメールは、放送周波数変更のお知らせのメールであり、上述の周波数リパッキング情報に基づいて作成されるメールである。
【００４６】
このように、ユーザ用告知情報作成部６２は、受信した告知情報から、ユーザに告知するのに適した形式でユーザ用告知情報を作成する。なお、図２及び図３においては、ユーザ用告知情報が、メール形式の場合を例に挙げて説明したが、この場合、ユーザ用告知情報作成部６２は、発行メール作成部と呼んでもよい。また、逆に、バナー形式等でユーザ用告知情報を作成する場合には、お知らせバナーのような表示を作成し、これを表示部５２に表示してユーザにユーザ用告知情報を了知させるようにしてもよい。ユーザ用告知情報作成部６２で作成されるユーザ用告知情報の告知形式は、用途に応じて種々の態様とすることができる。
【００４７】
図１に戻る。判定部６３は、ユーザ用告知情報作成部６２で作成されたユーザ用告知情報を、そのまま出力しても良いか否かの可否を判定する手段である。制御部６０は、上述のように、不揮発性メモリ７０へのアクセスを行い、不揮発性メモリ７０に記憶された情報を読み出す。不揮発性メモリ７０には、ユーザ用告知情報を出力すべきか否かのレベル設定がなされており、設定レベルが情報として記憶されている。よって、制御部６０は、不揮発性メモリ７０を参照することにより、ユーザ用告知情報作成部６２で作成されたユーザ用告知情報が出力するレベルに含まれているか否かを判定することができる。判定部６３は、このようなユーザ用告知情報の出力の可否の判定を行う。
【００４８】
出力制御部６４は、判定部６３の判定結果に従い、ユーザ用告知情報の出力制御を行う手段である。具体的には、判定部６３において、ユーザ用告知情報を出力するとの判定がなされたら、出力制御部６４は、ユーザ用告知情報を画像出力処理部５０に出力する制御を行う。一方、判定部６３において、ユーザ用告知情報を出力しないとの判定がなされたら、出力制御部６４は、ユーザ用告知情報を出力しない制御を行う。そして、このとき、ユーザ用告知情報が記憶しておくべき情報であれば、ユーザ用告知情報をメモリ８０のフラッシュメモリ８１に書き込む。
【００４９】
このように、制御部６０は、デジタル放送波により告知情報を受信してから、ユーザ告知用告知情報の取り扱いの一連の制御を行う。
【００５０】
不揮発性メモリ７０は、ユーザ用告知情報の告知レベルを定める設定レベルを記憶する記憶手段である。不揮発性メモリ７０は、リパッキングフラグ記憶領域７１と、設定レベル記憶領域７２と、ダウンロード設定記憶領域７３とを有する。不揮発性メモリ７０は、電源を切っても記憶内容が保持されれば、種々の不揮発性メモリ７０が適用され得るが、例えば、ＥＥＰＲＯＭ（Electronically Erasable Program Read Only Memory）が適用されてもよい。
【００５１】
ダウンロード設定記憶領域７３は、ユーザ側で設定するソフトウェアのダウンロード設定状態を記憶する記憶領域である。つまり、デジタル放送で行われるエンジニアリングサービスにおいて、デジタル放送波を用いてデジタル放送受信装置１５０の機能を適正化及び最新化するためのソフトウェアの配信が行われるが、かかるソフトウェアは多様に準備されており、総てのデジタル放送受信装置１５０のユーザがダウンロードすべき基本的なソフトウェアと、希望するユーザのみがダウンロードすればよい付加的なソフトウェアとが存在する。よって、このようなソフトウェアの配信のための放送（以下、「エンジニアリングストリーム放送」とも呼ぶ。）は、エンジニアリングストリーム放送を行うサービス局側で、デジタル放送受信装置１５０の製造業者側の依頼に従って、デジタル放送受信装置１５０のダウンロードを強制的に行わせるか、任意に行わせるかを設定できるようになっている。つまり、デジタル放送受信装置１５０の製造業者が、ダウンロードを強制に設定した場合には、総ての対象となるデジタル放送受信装置１５０のユーザが、放送されたソフトウェアをダウンロードすることになる。一方、デジタル放送受信装置１５０の製造業者が、ダウンロードを任意に設定した場合には、ソフトウェアのダウンロードを希望するユーザに対してのみダウンロードが行われることになる。このような、ユーザ側で行う設定は、ユーザがデジタル放送受信装置１５０を購入し、チャンネル設定を行う際に、ダウンロード設定も併せて行われるのが一般的である。ダウンロード設定において、例えば、ユーザが、ソフトウェアのダウンロード設定を任意のものを含めて総て行う、という設定とすれば、上述のデジタル放送受信装置１５０の製造業者側で任意に設定したソフトウェアもダウンロードする設定となる。一方、ユーザが、ソフトウェアのダウンロード設定を、強制されたもののみ行う、という設定とすれば、製造業者が強制に設定した必要最小限のソフトウェアのみがダウンロードされることになる。
【００５２】
このように、デジタル放送受信装置１５０においては、ソフトウェアのダウンロード設定が行えるようになっているが、ダウンロード設定記憶領域７３は、そのようなユーザ側のダウンロード設定を記憶する。ユーザ側のダウンロード設定は、上述の例のように、強制か任意かの選択の二者択一であれば、１ビット分の領域を確保しておけば良いし、もっと段階的に、又はソフトウェアの種類別に選択設定できるように構成する場合には、それに応じたビット数を確保するようにすれば良い。
【００５３】
なお、このようなユーザ側のデジタル放送受信装置１５０のダウンロード設定は、チャンネル設定時だけではなく、その後も変更が可能であるので、ユーザの設定変更に応じて、記憶内容が更新される。
【００５４】
リパッキングフラグ記憶領域７１は、周波数リパッキング情報の告知情報を、ユーザ告知情報として出力して告知するか否かを定めるフラグである。また、設定レベル記憶領域７２は、ユーザ用告知情報の出力の可否についての設定レベルを記憶する記憶領域である。リパッキングフラグ記憶領域７１と設定レベル記憶領域７２の具体的な記憶内容の一例について、図４を用いて説明する。
【００５５】
図４は、リパッキングフラグ記憶領域７１に記憶される情報と、設定レベル記憶領域７２に記憶される設定レベル情報の一例を示した図である。なお、図４においては、ユーザ用告知情報はメール形式で出力される例を挙げて説明する。よって、設定レベルは、メール発行レベルと呼んでもよい。
【００５６】
図４において、レベル０〜レベル３まで、４段階のメール発行レベルが示されている。４段階のメールは、レベル０から順にレベルが上がるにつれて、前のレベルに当該レベルの内容が加算されて出力される。つまり、レベル２は、レベル０〜レベル２の内容を総て出力し、レベル３はレベル０〜レベル３の内容を総て出力することを意味する。以下、順にメールのレベルと内容について説明する。
【００５７】
まず、リパッキングフラグ記憶領域７１にフラグ情報が記憶される周波数リパッキングメールの内容について説明する。周波数リパッキングメールは、周波数の変更、消滅、追加等を告知するメールであり、レベル０〜レベル３とは独立している。つまり、周波数リパッキングメールは、出力するか否かを、告知レベルとは関係無く、独立して設定することになる。この設定は、例えば、ユーザ側の状態を考慮して行ってもよい。例えば、デジタル放送受信装置１５０により、デジタル放送のコンテンツを最大限に活用したいユーザの場合には、種々の放送仕様の変更に追随する必要があるので、周波数リパッキングメールをオン、つまり出力する設定にすれば好ましい。一方で、例えばユーザが高齢の老人であり、決まったチャンネルしか視聴しない場合には、周波数リパッキングメールをオフとして出力しないこととし、不要な告知情報を取得しないこととすれば、情報過多の煩わしさを回避することができる。
【００５８】
このような設定は、ユーザ側で行ってもよいし、予めユーザのニーズが分かっている製品や、ユーザを知った状態でデジタル放送受信装置１５０を販売する場合には、メーカ側での設定も可能である。また、周波数リパッキングメールの出力のオン・オフの設定は、リパッキングフラグ記憶領域７１に、１ビット分の記憶領域を設けておけばよい。つまり、リパッキングフラグ記憶領域７１の１ビット分の記憶領域に、例えば、周波数リパッキングメールをオンにする場合は「１」を記憶させてフラグを立て、オフにする場合は「０」を記憶させてフラグを立てないようにすればよい。
【００５９】
次に、設定レベル記憶領域７２に記憶される設定レベル情報の内容について説明する。
【００６０】
レベル０は、メール発行を行わない設定レベルである。つまり、レベル０にレベルが設定された場合には、ユーザ用告知情報は一切出力されず、メールは発行されないことになる。上述のような、ソフトウェア等のダウンロードに関する情報が一切不要な老人等には、このような設定が好ましいので、例えば、そのような状況下で設定されてもよい。
【００６１】
レベル１は、放送局メールを発行し、ソフトウェアのダウンロードの設定変更メールについては、製造業者側の設定が、任意となっているソフトウェアのダウンロード告知情報に対してメール発行を行うという設定レベルである。つまり、レベル１が設定されている場合には、放送局メールは総てのデジタル放送受信装置１５０について発行され、ソフトウェアのダウンロードの設定変更メールは、製造業者側で任意のソフトウェアを配信するエンジニアリングストリーム放送が予定されている告知情報を受信したときに、ユーザのダウンロード設定が、最低限必要なソフトウェアのみダウンロードをする設定となっているデジタル放送受信装置１５０について発行されるメールである。
【００６２】
ここで、放送局メールは、放送局からの情報を告知するメールであり、××の内容の番組が放送されるであるとか、所定期間内に契約外の所定の番組を無料で視聴することができる等の放送局からの告知情報である。なお、放送局メールは、放送波中のＥＭＭ（Entitlement Management Massage、加入者毎の契約情報及び共通情報を含む個別情報）より取得した情報から発行する。また、ソフトウェアのダウンロード設定変更メールは、ユーザ側のソフトウェアのダウンロード設定が、強制的なもののみ行い、任意のものは行わない設定となっている場合には、そのようなユーザに、ソフトウェアの配信が予定されているが、このままの設定ではダウンロードが行われないので、ダウンロードを行いたい場合には、ダウンロード設定の変更をお願いします、という旨のメールである。
【００６３】
レベル１の設定レベルとすることにより、放送局メールについては、総てのユーザに告知のためのメール発行を行い、ソフトウェアのダウンロード設定変更の告知メールについては、ユーザ側のダウンロード設定が、総てのソフトウェアをダウンロードするのではなく、必ず必要なソフトウェアのみダウンロードする等の選択的設定になっているユーザに対してのみ出力されることになる。
【００６４】
レベル２は、レベル１のメール発行に加えて、製造業者側のエンジニアリングストリーム放送の設定が任意となっている場合に、任意のソフトウェアもダウンロードを希望しているユーザのデジタル放送受信装置１５０に対して、ソフトウェアのダウンロード告知メールと、ソフトウェアのダウンロード成功メールを発行する設定レベルである。これにより、製造業者側で任意と設定したソフトウェアも含めて総てのソフトウェアのダウンロードを希望するダウンロード設定となっているユーザには、将来のソフトウェアのダウンロードスケジュールがメールで告知されるとともに、ソフトウェアのダウンロードが成功した場合には、ダウンロードの成功メールが発行される。
【００６５】
ここで、ダウンロード告知メールについて着目すると、レベル１のソフトウェアダウンロード設定変更メールと、レベル２のソフトウェアダウンロード告知メールは、製造業者側で任意に設定したソフトウェアの配信が予定された場合に、その告知情報が放送されるが、それを受信したデジタル放送受信装置１５０のダウンロード設定記憶領域７３に記憶されたユーザ側の設定内容により、発行メールが異なっていることが分かる。つまり、デジタル放送受信装置１５０がソフトウェアのダウンロードスケジュールの告知情報を受信し、制御部６０の解析部６１で解析していると同時に、制御部６０は不揮発性メモリ７０を参照するが、その際に、ユーザ設定記憶領域７３の設定が、最低限必要なソフトウェアのみダウンロードする設定となっていれば、ソフトウェアダウンロード設定変更メールが作成され、任意設定も含めて総てのソフトウェアをダウンロードする設定となっていれば、ソフトウェアダウンロード告知メールが作成されることになる。
【００６６】
更にこの場合、ソフトウェアダウンロード設定変更メールはレベル１の設定レベルであり、ソフトウェアダウンロード告知メールはレベル２の設定レベルであるので、レベル２以上にレベルが設定されている場合には、上述のようなユーザ側のダウンロード設定に応じてメールを作成することになるが、レベル１に設定されている場合には、ユーザ側のダウンロード設定に応じて、メールの作成自体を行う、行わないという相違が出てくる。つまり、ダウンロード設定記憶領域７３の設定が、必要最低限のソフトウェアのみダウンロードを希望する設定となっていれば、ソフトウェアダウンロード設定変更メールを作成し、総てのソフトウェアのダウンロードを希望する設定となっていれば、メール自体を作成しないことになる。
【００６７】
このように、不揮発性メモリ７０の設定レベル記憶領域７２とダウンロード設定記憶領域７３に記憶されている設定情報の組み合わせにより、デジタル放送受信装置１５０がソフトウェアのダウンロードスケジュールに関する告知情報を受信した場合に、制御部６０で行う制御が種々変化する。このような情報を、不揮発性メモリ７０に記憶させておくことにより、多様な告知情報から、ユーザに必要な適切な情報のみを選択的に提供することが可能となる。
【００６８】
レベル３は、レベル０〜レベル２のメール発行に加えて、製造業者側で設定したソフトウェアのダウンロードレベルが強制となっている場合に、総てのユーザに対して、ソフトウェアダウンロード告知メールとソフトウェアダウンロード成功メールを発行する設定レベルである。基本的なソフトウェアのダウンロード情報については、総てのユーザに対して告知させる趣旨によるものである。総てのユーザに対してメールを発行するので、メール発行レベルとしては、最も高いレベルに設定されている。
【００６９】
このように、不揮発性メモリ７０の設定レベル記憶領域７２にメール発行の設定レベルを記憶させておくことにより、各種のメール発行について総て設定の可否を設定するのではなく、レベル単位でメール発行を設定でき、容易に発行メールの情報レベルと量を調整できる。
【００７０】
なお、設定レベルの設定は、通常は、デジタル放送受信装置１５０の製造業者側が、配信するソフトウェアとの関係を考慮して、適切な設定レベルの設定を行うようにしてよい。また、図４においては、レベルが上がるに従って、前の低いレベルに発行メールの種類が加算される例を挙げて説明したが、このような加算方式ではなく、レベル毎に個別に発行メールのレベルを設定するようにしてもよい。なお、図４で説明した加算方式は、システム構成を簡素にすることができるという利点を有するので、デジタル放送受信装置１５０の構成を簡素にしたい場合には、図４で説明した加算方式を用いるようにしてもよい。また、図４において挙げた設定レベルは一例に過ぎず、用途に応じて、種々のユーザ用告知情報の内容及び設定レベルを設けるようにしてよい。
【００７１】
図１に戻り、他の構成要素について説明を行う。
【００７２】
メモリ８０は、プログラム等のソフトウェアを含む種々の情報を記憶する記憶手段である。メモリ８０は、フラッシュメモリ８１と、ブートＲＯＭ８４と、ＲＡＭ８５とを有する。
【００７３】
フラッシュメモリ８１は、書き換え可能な不揮発性メモリであり、告知情報及びユーザ用告知情報を含む付加情報と、種々の演算処理のためのプログラムが記憶される記憶手段である。フラッシュメモリ８１は、ソフトウェアがダウンロードされた場合も、ソフトウェアは、最終的には、フラッシュメモリ８１に記憶される。
【００７４】
本実施例に係るデジタル放送受信装置１５０においては、フラッシュメモリ８１は、告知情報が受信され、制御部６０でユーザ用告知情報の一連の出力制御演算が実行された結果、ユーザ用告知情報を現在は出力しないが、所的期間経過した所定タイミングで出力する、という判定が出された場合には、ユーザ用告知情報データ８３及び告知情報データ８２が書き込まれ、これを記憶する。この場合、ユーザ用告知情報データ８３を出力すべき所定タイミングが訪れたときには、制御部６０がフラッシュメモリ８１に記憶されたユーザ用告知情報データ８３を読み込んで、これを画像出力処理部５０に出力する制御を行う。その際、所定タイミングの到来は、フラッシュメモリ８１に同様に記憶された告知情報データ８２や、他のトリガに基づいて知ることができる。
【００７５】
例えば、ソフトウェアのダウンロードスケジュールを告知情報として受信した場合、ダウンロード告知情報やダウンロード設定変更情報は、受信時に出力を行うが、ダウンロード成功情報は、ソフトウェアのダウンロード成功時に発行するので、タイムラグが生じる。そのような場合には、告知情報及びユーザ告知情報を、一旦フラッシュメモリ８１に告知情報データ８２及びユーザ告知情報データ８３として記憶させ、出力タイミングが来るまで待機させるようにしてよい。そして、ソフトウェアのダウンロードは、制御部６０の制御により実行され、最終的にダウンロードされたソフトウェアはフラッシュメモリ８１に記憶されるので、そのタイミングを契機として、ソフトウェアダウンロード成功のユーザ用告知情報を出力させればよい。
【００７６】
また、周波数リパッキング情報を告知情報として受信した場合、ユーザ用告知情報を出力する時間が指定されている場合がある。そのような場合にも、周波数リパッキング情報に関する告知情報データ８２とユーザ用告知情報データ８３をフラッシュメモリ８１に記憶させて待機させておけばよい。この場合、指定された時間の到来が出力契機となるので、告知情報に基づいて、所定の出力タイミングとなったときに、作成したユーザ用告知情報を出力すればよい。
【００７７】
このように、フラッシュメモリ８１を設けることにより、告知情報の受信時とユーザ用告知情報の出力時に時間差がある場合であっても、かかる時間差に対応してユーザ用告知情報を出力することができる。なお、フラッシュメモリ８１は、基本的な設定レベル等の情報を記憶する上述の不揮発性メモリ７０に対して、第２の記憶手段としての役割を有する。
【００７８】
ブートＲＯＭ８４は、起動時に用いられるプログラムを記憶した記憶手段であり、不揮発性メモリに、起動用のプログラムが記憶されている。
【００７９】
ＲＡＭ８５は、揮発性メモリを用いた記憶手段であり、起動時の情報やプログラムを一時的に記憶する記憶手段である。例えば、ソフトウェアをダウンロードする場合には、一旦ＲＡＭ８５にソフトウェアが記憶され、制御部６０で展開され、最終的にフラッシュメモリ８１に記憶され、電源が切れてもデータが保存される状態となる。
【００８０】
ＰＣＩバス９０は、本実施例に係るデジタル放送受信機１５０を含めてＬＡＮ（Local Area Network）を形成する場合に、外部との接続を可能としている外部接続用のバスであり、必要に応じて設けられてよい。
【００８１】
サブＣＰＵ１００は、外部のテレビ等のアナログ機器との接続を行う場合の、信号処理用のインターフェースであり、必要に応じて設けられてよい。
【００８２】
電源ユニット１１０は、本実施例に係るデジタル放送受信機１５０に電源を供給するためのユニットである。
【００８３】
次に、図５を用いて、本実施例に係るデジタル放送受信装置１５０の動作の一例について説明する。図５は、本実施例に係るデジタル放送受信装置１５０の処理フローの一例を示した図である。図５（Ａ）は、処理フローのメール内容を示した図であり、図５（Ｂ）は、本実施例に係るデジタル放送受信装置１５０の処理フローを示した図である。
【００８４】
図５（Ａ）において、メール１は周波数リパッキングメール、メール２はソフトウェアダウンロード設定変更メール、メール３はソフトウェアダウンロード告知／成功メールのＳＤＴＴ内のダウンロードレベルが任意の場合、メール４はソフトウェアダウンロード告知／成功メールのＳＤＴＴ内のダウンロードレベルが強制の場合を示している。
【００８５】
ここで、ＳＤＴＴ内のダウンロードレベルとは、製造業者側が設定するダウンロード対象のレベルを意味する。つまり、ＳＤＴＴ内ダウンロードレベルが任意とは、ダウンロード設定記憶領域７３に設定されたユーザのダウンロード設定が、任意のものも含めてダウンロードを希望するユーザのデジタル放送受信装置１５０に対してのみダウンロードが行われることを意味する。また、ＳＤＴＴ内ダウンロードレベルが強制とは、ダウンロード設定記憶領域７３に記憶されたユーザ設定の内容に関わらず、ユーザ全員のデジタル放送受信装置１５０にダウンロードを行わせる設定であることを意味する。
【００８６】
図５においては、図４とは異なり、メール１がレベル０、メール２がレベル１、メール２がレベル３、メール４がレベル４に対応する例について説明する。
【００８７】
図５（Ｂ）において、ステップ１００では、メールの発行契機が訪れる。発行契機の例としては、放送波より周波数リパッキング情報やソフトウェアダウンロード情報等の告知情報を受信したときが挙げられる。また、発行契機は、ソフトウェアのダウンロード時や、周波数リパッキングメールの出力の時間指定があるときは、指定された時間になったときであってもよい。
【００８８】
ステップ１００では、受信した告知情報、ソフトウェアデータ又は到来した時間等を契機として、制御部６０において出力制御処理が行われる。具体的には、告知情報やソフトウェアデータ等を受信した場合には、解析部６１において受信情報の解析が行われる。また、出力時間が到来した場合には、フラッシュメモリ８１から告知情報を読み出して形跡部６１で解析を行ってもよいし、特に解析は行わず、予め作成して記憶されたメールを読み出すだけでもよい。
【００８９】
ステップ１１０では、制御部６０がＥＥＰＲＯＭ、つまり不揮発性メモリ７０のリパッキングフラグ記憶領域７１を参照し、記憶された周波数リパッキング情報のフラグが１であるか０であるかを判定する。周波数リパッキング情報のフラグが０であればステップ１２０に進み、フラグが１であればステップ１３０に進む。
【００９０】
ステップ１２０では、不揮発性メモリ７０の設定レベル記憶領域７２が制御部６０により参照され、設定レベル記憶領域７２に記憶されたメール発行レベルが判定される。本ステップにおいて、メール発行レベルがレベル０であると判定されたときには、発行するメールが無いので、そのまま処理フローを終了する。一方、メール発行レベルがレベル１と判定されたときにはステップ１４０、レベル２と判定されたときはステップ１５０、レベル３と判定されたときにはステップ１６０に各々進む。
【００９１】
ステップ１４０では、ステップ１２０においてレベル１と判定されたので、メール２のソフトウェアダウンロード設定変更メールを発行する処理を行う。具体的には、制御部６０のメール作成部６２でソフトウェアダウンロード設定変更メールが作成される。判定部６３では、設定レベルに従った判定がなされ、作成されたソフトウェアダウンロード設定変更メールを出力するとの判定結果が出される。出力制御部６４から、画像出力処理部５０に出力指令信号が出力される。これにより、画像出力処理部５０は、ビジュアルドライバ５１を経て、表示部５２に、ソフトウェアダウンロード設定変更メールを表示出力することになる。そして、処理フローを終了する。なお、この一連の処理内容は、各ステップで同様であるので、以後のステップでは、その説明を省略する。
【００９２】
ステップ１５０では、ステップ１２０においてレベル２と判定されたので、レベル１、レベル２に該当するソフトウェアダウンロード設定変更メールか、又はソフトウェアダウンロード告知／成功メールが出力される制御が行われる。ソフトウェアダウンロード設定変更メールと、ソフトウェアダウンロード告知メールは、上述のように、ユーザ側のダウンロード設定に応じていずれか一方が出力される。また、ダウンロード成功メールは、デジタル放送受信装置１５０によるソフトウェアのダウンロードが成功した段階で発行される。そして、処理フローを終了する。
【００９３】
ステップ１６０では、ステップ１２０においてレベル３と判定されたので、レベル１〜レベル３に該当するメール２、３、４が発行される。レベル３で加わった内容は、ソフトウェアダウンロード告知／成功メールを強制的に出力する内容であるので、発行契機が訪れたら、総てのユーザに対してダウンロード告知／成功メールを発行する。そして、処理フローを終了する。
【００９４】
次に、ステップ１１０に戻る。不揮発性メモリ７０のリパッキングフラグ記憶領域７１に記憶されたフラグが立っていた場合には、ステップ１３０に進む。
【００９５】
ステップ１３０では、制御部６０が、不揮発性メモリ７０内の設定レベル記憶領域７２に記憶されたメール発行レベルを参照する。本ステップにおいて、設定レベル記憶領域７２に記憶された設定レベル、つまりメール発行レベルがレベル０のときはステップ１７０、レベル１のときはステップ１８０、レベル２のときはステップ１９０、レベル３のときはステップ２００に進む。
【００９６】
ステップ１７０では、ステップ１１０で周波数リパッキングメールを発行するという判定がなされ、ステップ１３０でメール発行レベルがレベル０との判定がなされているので、周波数リパッキングメールのみが発行され、処理フローを終了する。
【００９７】
ステップ１８０では、レベル０の周波数リパッキングメールの発行と、レベル１のソフトウェアのダウンロードの設定変更メールが発行される設定となっているので、発行対象となっているメールが作成されていれば、これを発行し、処理フローを終了する。
【００９８】
ステップ１９０では、レベル０の周波数リパッキングメール、レベル１のソフトウェアダウンロード設定変更メール、レベル２のソフトウェアダウンロード告知／成功メール（ＳＤＴＴのダウンロード設定が任意の場合）がメール発行レベルとして設定されているので、これに従い、該当するメールが作成されている場合には、メール発行を行う。上述のように、ダウンロード設定変更メールとダウンロード告知メールは、ユーザのダウンロード設定に応じて、該当する一方が選択されて発行される。該当するメールが発行されたら、処理フローを終了する。
【００９９】
ステップ２００では、レベル０の周波数リパッキングメール、レベル１のソフトウェアダウンロード設定変更メール、レベル２のソフトウェアダウンロード告知／成功メール（ＳＤＴＴ内のダウンロードレベルが任意）、レベル３のソフトウェアダウンロード告知／成功メール（ＳＤＴＴ内のダウンロードレベルが強制）のメールが発行対象となる。よって、これらに該当するメールが作成されている場合には、制御部６０の判定部６３で出力するとの判定がなされ、その後の出力制御が行われて、処理フローを終了する。
【０１００】
なお、上述のステップ１４０〜ステップ１６０、ステップ１７０〜ステップ２００において、設定レベルに該当するメールが作成されていない場合、つまりステップ１００において迎えたメール発行契機に対応するメールが、設定レベルのメール発行レベルに該当しない場合には、メールを発行することなく処理フローを終了する。この場合において、時間差を有して発行契機が訪れるメールについては、告知情報とともに、第２の記憶手段であるフラッシュメモリ８１に記憶させ、処理フローを終了してよい。
【０１０１】
本実施例に係るデジタル放送受信装置１５０においては、ユーザ用告知情報を種別化してレベルを設定し、出力レベルを設定して記憶しておくことにより、告知すべきユーザ用告知情報を容易に設定することができる。また、設定レベルは、記憶手段７０に記憶された設定レベル情報を変更することにより容易に変更できるので、設定後のレベル変更も容易に行うことができ、ユーザの状況やダウンロード情報の多少を考慮して、柔軟にユーザ用告知情報を制御することができる。
【０１０２】
以上、本発明の好ましい実施例について詳説したが、本発明は、上述した実施例に制限されることはなく、本発明の範囲を逸脱することなく、上述した実施例に種々の変形及び置換を加えることができる。
【符号の説明】
【０１０３】
１０    チューナ
１１    アンテナ
１５    受信部
２０    復調部
２１    誤り訂正部
３０    暗号復号部
３１    分離部
４０    音声信号処理部
４１    音声信号変換部
４２    スピーカ
５０    画像出力処理部
５１    ビジュアルドライバ
５２    表示部
６０    制御部
６１    解析部
６２    ユーザ用告知情報作成部
６３    判定部
６４    出力制御部
７０    不揮発性メモリ
７１    リパッキングフラグ記憶領域
７２    設定レベル記憶領域
７３    ダウンロード設定記憶領域
８０    メモリ
８１    フラッシュメモリ
８２    告知情報データ
８３    ユーザ用告知情報データ
８４    ブートＲＯＭ
８５    ＲＡＭ
９０    ＰＣＩバス
１００    サブＣＰＵ
１１０    電源ユニット
【図１】
2010219702.tif 000003
【図２】
2010219702.tif 000004
【図３】
2010219702.tif 000005
【図４】
2010219702.tif 000006
【図５】
2010219702.tif 000007